(57)【要約】【課題】座支持部材としての座支持フレームに対し、座が左右方向に移動するのを規制しうるとともに、座の下方への撓み変形量を大きく確保して、座り心地を向上させうるようにした椅子を提供する。【解決手段】座板１２の嵌合溝２５よりもやや内側方において座板１２の一側部下面に、嵌合溝２５を座支持部材１１の外向嵌合片２３に嵌合させた状態で、座支持フレーム１１の上面に設けた上向突部１４の側面と当接または近接することにより、座板１２の左右方向への移動を規制する移動規制部２８を設け、かつ座板１２の他側部下面を、座支持フレーム１１に対し座板１２の側方への撓み変形を許容する変形許容部２９とする。【選択図】  図５
2014057761.tif 000002
【特許請求の範囲】
【請求項１】
脚体と、
この脚体に支持され、左右両側端部に前後方向の外向嵌合片を有する座支持部材と、
この座支持部材に支持され、かつ左右両側部に、前記外向嵌合片に嵌合する前後方向の嵌合溝を有する弾性変形可能な座とを備える椅子において、
前記嵌合溝よりも内側方において前記座の一側部下面に、前記嵌合溝を前記外向嵌合片に嵌合させた状態で、前記座支持部材の上面に設けた上向突部の内側面と当接または近接することにより、前記座の左右方向への移動を規制する移動規制部を設け、かつ前記座の他側部下面を、前記座支持部材に対し座の側方への撓み変形を許容する変形許容部としたことを特徴とする椅子。
【請求項２】
座の下面に突設した前後方向の下向突部を移動規制部とし、この下向突部の外側面を、上向突部の内側面と当接または近接するようにしてなる請求項１に記載の椅子。
【請求項３】
座支持部材の左右両側部に、外側端に外向嵌合片を有する前後方向のガイド部を、座側に突出するようにして設け、両ガイド部を、座の両側部下面に設けた前後方向の凹溝に嵌合するとともに、前記左右のガイド部の外向嵌合片を、前記左右の凹溝の外側壁の内側面に設けた嵌合溝に嵌合し、前記左右いずれか一方の凹溝の内側壁を移動規制部とし、かつ前記左右いずれか一方のガイド部を上向突部として、前記内側壁をガイド部の外側面に当接または近接させてなる請求項１または２記載の椅子。
【請求項４】
左右いずれか他方のガイド部の左右寸法を、一方のガイド部のそれよりも小とし、座の左右いずれか他方の凹溝の内側壁を前記他方のガイド部の内側面より離間させることにより、座の側方への撓み変形を許容する変形許容部としてなる請求項３に記載の椅子。
【発明の詳細な説明】
【技術分野】
【０００１】
本発明は、脚体上部の座支持フレームの左右両側部に設けた前後方向の嵌合片に、座の両側部に設けた嵌合溝を、前後方向に摺動可能に嵌合することにより、座支持フレームにより、座を、前後方向に移動可能に支持してなる椅子に関する。
【背景技術】
【０００２】
このように、嵌合片と嵌合溝との嵌合によって、座支持フレームに、座を、前後方向に移動可能に支持する構造は、座支持フレームに、座を前後方向にスライドさせながら、着脱可能として容易に装着しうるだけでなく、装着後において座が上方に外れるのが防止しうる利点があるので、比較的多く採用されている(例えば特許文献１〜３参照)。
【先行技術文献】
【特許文献】
【０００３】
【特許文献１】特許第３９６７１５０号公報(図１３、図２１)
【特許文献２】特開２００８−３０２０８３号公報(図１１)
【特許文献３】特開２００８−１８３０７４号公報(図４)
【発明の概要】
【発明が解決しようとする課題】
【０００４】
上記特許文献１及び２に記載されている椅子においては、いずれも、座支持フレーム(中間支持体及びサイドフレーム)側に設けた嵌合片を、座側に設けた嵌合溝に、前後方向にスライド可能としてほぼ緊密に嵌合し、座が左右方向にがたつくのを防止するとともに、互いの嵌合強度が大となるようにしている。そのため、特に座の左右寸法が小さい椅子においては、座の下方への撓み変形量が制限され、座り心地が悪くなる恐れがある。
特許文献３に記載の椅子は、座側の一方の側部に弾性係合片を設け、この弾性係合片を、座支持フレームの嵌合片(係合片)により内方に弾性変形させて、弾性係合片の奥部に形成した嵌合溝に嵌合片を嵌合するとともに、座支持フレームの側部フレームを、座板の両側部下面に設けた凹部に遊嵌しているので、座板が下向きに弾性変形した際に、座支持フレームに対し座が左右方向にがたつく恐れがある。
【０００５】
本発明は、上記問題点に鑑みてなされたもので、座支持フレームに対し、座が左右方向に移動するのを規制しうるとともに、座の下方への撓み変形量を大きく確保して、座り心地を向上させうるようにし、さらに、簡単な手段により、座が左右方向に移動するのを規制しうるとともに、座の下方への撓み変形量を大きく確保しうるようにした椅子を提供することを目的としている。
【課題を解決するための手段】
【０００６】
本発明によると、上記課題は、次の各項のようにして解決される。
（１）脚体と、この脚体に支持され、左右両側端部に前後方向の外向嵌合片を有する座支持部材と、この座支持部材に支持され、かつ左右両側部に、前記外向嵌合片に嵌合する前後方向の嵌合溝を有する弾性変形可能な座とを備える椅子において、前記嵌合溝よりも内側方において前記座の一側部下面に、前記嵌合溝を前記外向嵌合片に嵌合させた状態で、前記座支持部材の上面に設けた上向突部の内側面と当接または近接することにより、前記座の左右方向への移動を規制する移動規制部を設け、かつ前記座の他側部下面を、前記座支持部材に対し座の側方への撓み変形を許容する変形許容部とする。
【０００７】
このような構成によると、座の一側部下面に移動規制部を設けるとともに、他側部の下面を、座の側方への撓み変形を許容する変形許容部としたことにより、座支持部材に対し座が左右方向に移動するのを規制し、座が左右方向にがたつくのを防止した状態で、座を容易に、かつ好ましい形状に下方に弾性変形させることができる。従って、座の下方への撓み変形量を大きく確保して、座り心地を向上させることができる。
また、座が左右方向に移動するのを規制して下方に弾性変形させうるので、座支持部材の外向嵌合片に座の嵌合溝を緊密に嵌合させて、それらの嵌合強度を大とすることができる。
【０００８】
（２）上記(１)項において、座の下面に突設した前後方向の下向突部を移動規制部とし、この下向突部の外側面を、上向突部の内側面と当接または近接するようにする。
【０００９】
このような構成によると、座が側方及び下方に弾性変形した際に、座の下向突部が、座支持部材の上向突部に、外側方から強く当接するので、座が左右方向に移動するのが確実に防止される。
【００１０】
（３）上記(１)または(２)項において、座支持部材の左右両側部に、外側端に外向嵌合片を有する前後方向のガイド部を、座側に突出するようにして設け、両ガイド部を、座の両側部下面に設けた前後方向の凹溝に嵌合するとともに、前記左右のガイド部の外向嵌合片を、前記左右の凹溝の外側壁の内側面に設けた嵌合溝に嵌合し、前記左右いずれか一方の凹溝の内側壁を移動規制部とし、かつ前記左右いずれか一方のガイド部を上向突部として、前記内側壁をガイド部の外側面に当接または近接させる。
【００１１】
このような構成によると、座の下面に設けた凹溝の内側壁が、移動規制部を兼ね、座支持部材の上面に設けたガイド部が上向突部を兼ねるので、移動規制部及び上向突部を、座と座支持部材に別途設ける必要がなく、簡単な手段で、座が左右方向に移動するのを規制することができる。
また、凹溝の内側壁及びガイド部は剛性が大であるので、それらが強く当接しても、側方に変形する恐れがない。
【００１２】
（４）上記(４)項において、左右いずれか他方のガイド部の左右寸法を、一方のガイド部のそれよりも小とし、座の左右いずれか他方の凹溝の内側壁を前記他方のガイド部の内側面より離間させることにより、座の側方への撓み変形を許容する変形許容部とする。
【００１３】
このような構成によると、左右いずれか他方のガイド部の左右寸法を、一方のガイド部のそれよりも小とし、凹溝の内側壁をガイド部の内側面より離間させるだけの簡単な手段で、座の他側部下面を容易に変形許容部とすることができる。
【発明の効果】
【００１４】
本発明によれば、座支持部材としての座支持フレームに対し、座が左右方向に移動するのを規制しうるとともに、座の下方への撓み変形量を大きく確保して、座り心地を向上させうるようにした椅子を提供することができる。
【図面の簡単な説明】
【００１５】
【図１】本発明の椅子の一実施形態の側面図である。
【図２】同じく、座の拡大分解斜視図である。
【図３】同じく、座支持フレームと座板とを下方より見た拡大斜視図である。
【図４】同じく、座支持フレームに座板を取付けた状態の底面図である。
【図５】図４のV−V線に沿って縦断し、上下を反転させて示す拡大正面端面図である。
【図６】同じく、図４のVI−VI線に沿って縦断し、上下を反転させて示す拡大正面端面図である。
【図７】座板を撓ませたときの図４と同部位の拡大正面端面図である。
【発明を実施するための形態】
【００１６】
以下、本発明の実施形態を、図面に基づいて説明する。
図１は、本発明の椅子の側面図で、この椅子は、先端部にキャスタ１を備える放射状をなす５本の脚杆２を有する脚体３と、脚体３の中央に立設され、内部にガススプリング４が収容された伸縮式の脚柱５と、脚柱５の上端部に後端部が支持された前上方を向く座支持体６と、座支持体６に支持された座７と、前端部が左右方向を向く左右１対の枢軸８をもって座支持体６に枢着された後方を向く左右１対の背凭れ支持杆９と、両背凭れ支持杆９の後端部によって支持された背凭れ１０とを備えている。
【００１７】
背凭れ１０は、左右の背凭れ支持杆９と一体となって、座７の後方において起立する起立位置から、適宜の後傾位置(図示略)までの範囲を、枢軸８を中心として回動しうるようになっている。なお、座支持体６の内部には、枢軸８に連係された、背凭れ１０を常時前向きに付勢する付勢手段や、付勢力調整機構等が収容されているが、それらは、本発明と直接関係しないので、図示及び詳細な説明を省略する。
【００１８】
図２に示すように、座７は、本発明における座支持部材としての、平面視枠状をなす合成樹脂製の座支持フレーム１１と、この座支持フレーム１１により支持された平面視概ね方形をなす可撓性の合成樹脂よりなる座板１２と、座板１２の上面および外周面を覆うように座板１２に装着されたクッション体１３とからなっている。
【００１９】
座支持フレーム１１は、前後方向(図２の左手前が前方)を向く左右１対のガイド部１４、１４と、その前端部同士を連結する前部連結杆１５と、左右のガイド部１４、１４の後端部同士を連結する後部連結杆１６とからなり、全体が弾性変形しにくい硬質合成樹脂により一体成形されている。なお、左右のガイド部１４、１４は、後記する移動規制部２８及び変形許容部２９と左右方向に対向する上向突部を兼ねるように、前部連結杆１５及び後部連結杆１６の上面よりも上方、すなわち座板１２側に突出するようにしてある。また、左右のガイド部１４、１４を座板１２側に突出させて、座板１２の両側部下面を支持すると、座板１２の下面が前部連結杆１５及び後部連結杆１６の上面と離間するようになるので、着座時において座板１２を大きく下方に弾性変形させることができる(図７参照)。
【００２０】
前部連結杆１５の左右方向の中央寄りには、前後方向に長い左右１対の長孔１７、１７が設けられている。この両長孔１７を貫通するボルト(図示略)を、座支持体６の前部の上面に、上面が円弧面をなす左右１対の受け板(図示略)を介在させて螺着することにより、座支持フレーム１１の前部が、座支持体６の上面から上方に外れることなく、受け板の上面の円弧面に沿って前後方向に摺動しうるようにしてある。右方のガイド部１４の前部右側面には、図示しない操作レバーの係合爪が選択的に係合することにより、座７の前後位置を調節するための縦長の複数のスリット１８が、前後方向に並べて設けられている。
【００２１】
図１に示すように、座支持フレーム１１における左右のガイド部１４、１４の後部下面より垂下する左右１対の下向突片１９、１９(図３参照)と、左右の背凭れ支持杆９における前端より若干後方の部分より起立する上向突片２０とを、それぞれ左右方向を向く軸２１をもって連結することにより、座支持フレーム１１及びそれに支持された座板１２を含む座７全体は、背凭れ１０の後傾に連動して、後部が後下方に移動し、かつ前部が座支持体６の上面に沿って後方に摺動しつつ、後下向きに傾動するようになっている。
【００２２】
図３〜図６に示すように(クッション体は図示略)、座板１２における左右両側部の下面には、座支持フレーム１１における左右のガイド部１４、１４に嵌合し、かつ座板１２が両ガイド部１４に対して一定範囲内において前後方向に摺動しうるようにした前後方向を向く左右１対の上向きに凹入する凹溝２２、２２が設けられている。
左右の凹溝２２、２２を、座板１２の下面における左右の両側端より若干内方寄りに設けてあるので、左右のガイド部１４、１４は、座板１２の両側端より内方に位置している。
【００２３】
各凹溝２２の外側縁には、凹溝２２内に嵌合したガイド部１４の外側縁に設けた前後方向の複数の外向嵌合片２３に係合して、ガイド部１４が凹溝２２から下方に離脱するのを阻止するようにした前後複数の内向きの係合突片２４が突設されている。この例では、各ガイド部１４の外側の縁における前後両端部と中央部に、３個の外向嵌合片２３を一定間隔おきに設け、各凹溝２２の外側の縁における前後の端部を除いた部分に、前後方向の長さが外向嵌合片２３よりも長い３個の係合突片２４を、互いに隣接する係合突片２４との間より外向嵌合片２３が挿脱しうるように、前後方向に一定間隔おきに設けてある。
このような係合突片２４を設けることにより、左右の凹溝２２、２２の外側壁２２ａの内側面には、各外向嵌合片２３に前後方向に摺動可能に嵌合される、内側方に開口する正面視内向きコ字状断面の前後方向の嵌合溝２５、２５が形成されている(図５参照)。
【００２４】
座板１２における各凹溝２２の上壁には、座支持フレーム１１に対して、座板１２が前限位置に達したとき、ガイド部１４の後端に当接して、座板１２のそれ以上の前方への移動を阻止する左右１対の弾性係合片２６、２６が、常時凹溝２２内に突出するように、かつ上向き弾性変形させうるようにして設けられている。
【００２５】
座支持フレーム１１に座板１２を取付けるには、左右の弾性係合片２６、２６を上向きに弾性変形させながら、最後部の外向嵌合片２３を、座板１２における最後部の係合突片２４と凹溝２２の後壁との間の隙間より、前側の２個の外向嵌合片２３、２３を、前後に隣接する係合突片２４、２４間の隙間より、それぞれ凹溝２２内に挿入したのち、両弾性係合片２６が下向きに弾性復元する位置まで、座支持フレーム１１に対し座板１２を後方にスライドさせる。すると、図５に示すように、各外向嵌合片２３が座板１２の嵌合溝２５まで移動してそれに嵌合することにより、ガイド部１４が凹溝２２から下方に離脱するのが阻止される。これにより、座板１２は、弾性係合片２６が座支持フレーム１１のガイド部１４、１４の後端と当接する前限位置と、凹溝２２の前壁にガイド部１４の前端が当接する後限位置との間を、座支持フレーム１１に対し前後方向に移動することができる。
なお、弾性係合片２６を上向きに弾性変形させて、座板１２を前限位置までスライドさせれば、各外向嵌合片２３と係合突片２４との係合が解除されるので、座板１２を上方に持ち上げるだけで、座支持フレーム１１から簡単に外すことができる。
【００２６】
このようにして、座支持フレーム１１に座板１２を取付けた際、座板１２に下向きの荷重が加わっていない状態において、右側の各外向嵌合片２３は、右側の凹溝２２における嵌合溝２５に、右側方に移動するのが規制されて嵌合され、左側の各外向嵌合片２３は、左側の凹溝２２における嵌合溝２５に、その奥面と若干離間するようにして嵌合されている(図５参照)。
また、左右のガイド部１４、１４の上端と、左右の凹溝２２、２２の下面との間には、着座時において座板１２の両側部が下方に若干弾性変形しうるだけの所要の隙間が形成されている。
【００２７】
図２、図５及び図６に示すように、右側のガイド部１４における前部連結杆１５及び後部連結杆１６の上面よりも上方に突出する部分の前後の端部には、ガイド部１４の内側面の一部を内側方に膨出させることにより、内側面がほぼ垂直面をなす前後方向の内向突部２７、２７が突設されている。これにより、左右のガイド部１４、１４は左右非対称とされ、左側のガイド部１４の左右寸法が、右側のガイド部１４における内向突部２７形成部の左右寸法よりも小となっている。
【００２８】
座板１２における右側の凹溝２２の内側壁２２ｂ、及び内側壁２２ｂの下端に突設したリブ状の下向突部２２ｃは、嵌合溝２５よりも内側方において、前後の内向突部２７、２７の内側面に左側方より当接または近接する移動規制部２８としてある。このような移動規制部２８を設けると、上述したように、座支持フレーム１１における右側の各外向嵌合片２３は、右側の凹溝２２の嵌合溝２５に、右側方への移動を規制して嵌合されているので、座支持フレーム１１に対し座板１２が左右方向に移動するのが規制され、左右方向にがたが発生するのが防止される。
【００２９】
図５及び図６に示すように、左側の凹溝２２における内側壁２２ｂの下端には、リブ状の下向突部２２ｃが突設され、この下向突部２２ｃと凹溝２２の内側壁２２ｂを含む座板１２の左側部の下面は、座板１２の外側方及び下方への撓み変形を許容する変形許容部２９となっている。すなわち、変形許容部２９を、座支持フレーム１１の上面より離間させるとともに、左側のガイド部１４の内側面から右側方に離間させて、撓み空間Ｓを形成することにより、変形許容部２９が座支持フレーム１１のガイド部１４の内側面と干渉することがなくなる。従って、座板１２におけるガイド部１４よりも内方の部分の撓み変形量を大きく確保して、座り心地を向上させることができる。
【００３０】
図７は、着座時に座板１２が下方に弾性変形したときの状態を示すもので、座板１２に座者の体圧が加わると、その両側部の下面が、座支持フレーム１１の左右のガイド部１４の上端と当接するとともに、両ガイド部１４を支点として、座板１２の中央部が下向きに大きく弾性変形する。すると、座板１２の両側端部が互いに接近する方向に引き寄せられることにより、座板１２の嵌合溝２５の奥面、すなわち左右の凹溝２２、２２の内側壁２２ｂが、座支持フレーム１１の左右の外向嵌合片２３、２３の外側端に強く当接する。これにより、外向嵌合片２３が嵌合溝２５に緊密に係合し、それらの嵌合強度が大となる。また、座板１２が下方に弾性変形すると、右側の凹溝２２の内側壁２２ｂ及び下向突部２２ｃが、右側のガイド部１４における内向突部２７の内側面に強く当接するので、座板１２の左右方向への動きは阻止され、ガイド部１４により安定よく支持される。
【００３１】
一方、座板１２の左側部の下面を変形許容部２９として、座支持フレーム１１のガイド部１４との間に撓み空間Ｓを設けてあるので、上述したように、変形許容部２９がガイド部１４の内側面と干渉することはなく、従って、座板１２における両側部を除いた中央部を、容易に、かつ好ましい形状に下方に弾性変形させることができる。
【００３２】
本発明は、上記実施形態に限定されるものではない。
上記実施形態では、右方のガイド部１４の前後両端部に、内向突部２７、２７を設け、それらの内側面に、移動規制部２８である凹溝２２の内側壁２２ｂ及び下向突部２２ｃを当接または近接させているが、前後方向にやや長目の内向突部２７を、ガイド部１４の前後方向の中央部のみに設けてもよい。また、内向突部２７を設ける代わりに、右側のガイド部１４の内側部全体を内方に膨出させて、その左右寸法を大としてもよい。
【００３３】
上記実施形態では、座支持フレーム１１の左右両側に設けたガイド部１４に、座板１２の両側部下面に設けた凹溝２２を嵌合し、右方の凹溝２２の内側壁２２ｂ及び下向突部２２ｃを移動規制部２８として、上向突部を兼ねる右側のガイド部１４の内側面に当接または近接するようにしたが、このようなガイド部１４及び凹溝２２を設けないで、座支持フレーム１１の右側部の上面に上向突部を、座板１２の右側部下面に、下向突部よりなる移動規制部２８を設けてもよい。
【００３４】
また、上記実施形態では、座支持フレーム１１を方形の枠状のものとしたが、左右のガイド部１４の下部同士が板状の部材により連結された、全体が平面視板状をなす形状としてもよい。
【００３５】
本発明は、座支持フレーム１１に対し、座板１２が前後方向にスライドしない椅子や、クッション体１３のない座板１２のみを備える椅子にも適用することができる。
【符号の説明】
【００３６】
１  キャスタ
２  脚杆
３  脚体
４  ガススプリング
５  脚柱
６  座支持体
７  座
８  枢軸
９  背凭れ支持杆
１０  背凭れ
１１  座支持フレーム(座支持部材)
１２  座板
１３  クッション体
１４  ガイド部(上向突部)
１５  前部連結杆
１６  後部連結杆
１７  長孔
１８  スリット
１９  下向突片
２０  上向突片
２１  軸
２２  凹溝
２２ａ外側壁
２２ｂ内側壁
２２ｃ下向突部
２３  外向嵌合片
２４  係合突片
２５  嵌合溝
２６  弾性係合片
２７  内向突部
２８  移動規制部
２９  変形許容部
Ｓ  撓み空間
【図１】
2014057761.tif 000003
【図２】
2014057761.tif 000004
【図３】
2014057761.tif 000005
【図４】
2014057761.tif 000006
【図５】
2014057761.tif 000007
【図６】
2014057761.tif 000008
【図７】
2014057761.tif 000009